(57)【要約】【課題】細長い導光体の発光部をその全長にわたって均一に発光させることができ、しかもコンパクトであって且つ安価に構成することができる発光装置を提供する。【解決手段】機器本体を収容する筐体３の前面パネル４の一部を貫通して細長形状の発光部７が露出する導光体６を設ける。導光体６は、筐体内部に位置する側に発光部７に沿って形成された細長形状の受光部８を備える。受光部８の少なくとも全長にわたって対向する長さを有する反射部１０を設ける。反射部１０は、受光部８の長手方向に交差する方向に向けた反射面１３を備える。反射部１０の長手方向の略中央部に光軸が向く姿勢に光源１１を設ける。光源１１は、少なくとも反射部１０の反射面１３全長にわたって光が照射される距離を存した位置に設ける。【選択図】図２
2006196239.tif 000002
【特許請求の範囲】
【請求項１】
機器本体を収容する筐体の前面パネルの一部に設けられて該機器の運転状況に応じて発光させる発光装置であって、
前記前面パネルを貫通して細長形状の発光部が露出する導光体と、
該導光体の前記筐体内部に位置する側に前記発光部に沿って形成された細長形状の受光部と、
該受光部の少なくとも全長にわたって対向する長さを有し、該受光部の長手方向に交差する方向に反射面を向けて設けられた反射部と、
該反射部の長手方向の略中央部に光軸が向く姿勢に設けられた光源とを備え、
該光源は、少なくとも前記反射部の反射面全長にわたって光が照射される距離を存した位置に設けられていることを特徴とする発光装置。
【請求項２】
前記前面パネルは前記筐体から取り外し自在に設けられ、
該前面パネルの裏面側に対向する前記筐体には該筐体を補強する補強板が設けられ、
前記反射部は該補強板の一部を斜めに切り起こすことによって形成されていることを特徴とする請求項１記載の発光装置。
【請求項３】
前記補強板は表面に亜鉛めっきが施された金属板により形成され、
前記反射部は、その反射面の亜鉛めっきの目方向が該反射部の長手方向を向くように設けられていることを特徴とする請求項２記載の発光装置。
【発明の詳細な説明】
【技術分野】
【０００１】
本発明は、例えば、空気清浄機等の機器本体を収納する筐体の一部に設けて、機器の運転状況に応じて発光させる発光装置に関する。
【背景技術】
【０００２】
従来、空気調和機等の機器においては、使用者に運転状態を視認させるため或いは装飾として視覚効果を向上させるために、前面パネルの一部に形成された発光部を発光させる発光装置を備えるものが知られている（例えば、特許文献１参照）。
【０００３】
この種の発光装置は、前面パネルの一部に設けられた透明部材による発光部にその裏側から光源の光を当てることによって、発光部を発光させる。特許文献１においては、縦方向に長さを有する発光部の裏側面に対向する反射部が設けられ、発光部の長手方向の一端側から反射部に光源であるＬＥＤの光を照射することにより反射部からの反射光を発光部の裏面に当てるようになっており、比較的コンパクトに構成されている。
【０００４】
しかし、このような構成の発光装置では、発光部の長手方向の一端側から反射部に向かってＬＥＤの光を照射するために、反射部に照射されるＬＥＤの光はＬＥＤ近傍が強くなる。これによって、発光部の一端側（ＬＥＤ側）よりも他端側（ＬＥＤから遠い位置）の光量が弱くなり、発光部の発光状態に明暗差が生じるために、発光部の全長にわたって均一に発光させることができない不都合がある。
【０００５】
一方、一方向に長さを有する細長形状の発光部を明暗差なく発光させるためには、発光部の裏面側に、発光部の長手方向に沿って多数配列したＬＥＤを対向させることが考えられるが、部品点数が多くなると同時に組立工数も多くなるので、製造コストが増加する不都合がある。また、冷陰極管等の蛍光管を発光部の裏面側に対向させ、発光部の全長にわたって均一に発光させることが考えられるが、蛍光管やそれに付随する駆動回路が高価であるため、製造コストが増加する不都合がある。
【０００６】
また、発光部の裏面側の略中央部に少数のＬＥＤを対向させて、製造コストの増加を防止することが考えられるが、少数のＬＥＤによって細長形状の発光部を均一に発光させるためには、発光部の裏面とＬＥＤとの距離を大きくして、ＬＥＤの光源輪郭を曖昧とする必要がある。このため、筐体内部の機器本体と前面パネルとの間隔距離を大きく形成する必要があり、筐体が大型化する不都合がある。
【特許文献１】特開２００２−１３７９５号公報
【発明の開示】
【発明が解決しようとする課題】
【０００７】
かかる不都合を解消して、本発明は、細長い導光体の発光部をその全長にわたって均一に発光させることができ、しかもコンパクトであって且つ安価に構成することができる発光装置を提供することを目的とする。
【課題を解決するための手段】
【０００８】
かかる目的を達成するために、本発明は、機器本体を収容する筐体の前面パネルの一部に設けられて該機器の運転状況に応じて発光させる発光装置であって、前記前面パネルを貫通して細長形状の発光部が露出する導光体と、該導光体の前記筐体内部に位置する側に前記発光部に沿って形成された細長形状の受光部と、該受光部の少なくとも全長にわたって対向する長さを有し、該受光部の長手方向に交差する方向に反射面を向けて設けられた反射部と、該反射部の長手方向の略中央部に光軸が向く姿勢に設けられた光源とを備え、  該光源は、少なくとも前記反射部の反射面全長にわたって光が照射される距離を存した位置に設けられていることを特徴とする。
【０００９】
本発明の発光装置によれば、光源からの光が反射部の反射面に反射して導光体の受光部に入り導光体の発光部が発光する。前記反射部の反射面は受光部の長手方向に交差する方向に向けられている。即ち、反射面の長手方向に直交する方向の一端縁側が受光部から次第に離間するように傾斜して設けられている。そして、前記光源は、その光軸が反射部の長手方向の略中央部に向けられ、更に、少なくとも前記反射部の反射面全長にわたって光が照射される距離を存した位置に設けられている。
【００１０】
これにより、光源を、前面パネルと筐体内部の機器本体と間の隙間に設けることができ、筐体の奥行き方向に大きな間隔距離を設けることなく、受光部と光源との距離を大きくすることができるので、光源の輪郭を曖昧にして均一な光を受光部に照射することができる。そして、光源としては少数（１〜３個）のＬＥＤを用いることができ、部品点数の増加を抑えて安価に製造することができる。
【００１１】
また、本発明において、前記前面パネルは前記筐体から取り外し自在に設けられ、該前面パネルの裏面側に対向する前記筐体には該筐体を補強する補強板が設けられ、前記反射部は該補強板の一部を斜めに切り起こすことによって形成されていることを特徴とする。前記反射部を前記補強板の一部を斜めに切り起こすことによって形成することにより、部品点数を少なくすることができ、安価で容易に製造することができる。
【００１２】
また、前記補強板が表面に亜鉛めっき（特に溶融亜鉛めっき）が施された金属板により形成されているときには、前記反射部は、その反射面の亜鉛めっきの目方向が該反射部の長手方向を向くように設けられていることが好ましい。これにより、反射面に当たった拡散光が目方向に沿って延びるので、反射部からの反射光が受光部の全長にわたって均一に照射され、発光部における明暗差を小さくすることができる。
【発明を実施するための最良の形態】
【００１３】
本発明の一実施形態を図面に基づいて説明する。図１は本実施形態の発光装置を採用した空気清浄機能付き温風暖房機を示す斜視図、図２は図１の一部を破断して本実施形態の発光装置の構成を示す説明的斜視図、図３は導光体の説明的側面図、図４は本実施形態の発光装置の作用を示す説明的横断面図、図５は反射部を示す説明的斜視図である。
【００１４】
本実施形態の発光装置１は、図１及び図２に示すように、空気清浄機能付き温風暖房機２の筐体３の前面パネル４の一部に設けられ、空気清浄機能付き温風暖房機２の運転状況に応じて発光させるものである。
【００１５】
前面パネル４は、筐体３から取り外し可能に設けられており、該前面パネル４の一部を貫通して発光窓部５が形成されている。該発光窓部５には透明或いは半透明合成樹脂によって形成された導光体６が設けられている。該導光体６は、図２及び図３に示すように、縦方向に細長い形状に形成されており、前端面が発光部７として前面パネル４から露出し、後端面が受光部８として前面パネル４の内側に設けられる。
【００１６】
空気清浄機能付き温風暖房機２の筐体３内部には、図示しない機器本体が収容されており、図２に示すように、前面パネル４と機器本体との間には金属製の補強板９が設けられている。該補強板９には、一部を切り起こして形成された反射部１０と、光源としてのＬＥＤ１１を支持する光源支持部１２とが設けられている。このように、本実施形態における発光装置１は、前記導光体６、前記反射部１０、及び光源である前記ＬＥＤ１１によって構成されている。
【００１７】
反射部１０は、図２及び図４に示すように、導光体６の受光部８に所定角度を存して対向する反射面１３を備えている。即ち、反射面１３の長手方向に直交する方向の一端縁側（切り起こされた際の先端縁）が受光部８に接近するように傾斜して設けられている。また、図４に示すように、ＬＥＤ１１は、反射部１０の長手方向の略中央部に光軸が向く姿勢に設けられ、少なくとも前記反射部１０の反射面１３全長にわたって光が照射される距離を存した位置に前記光源支持部１２によって支持されている。
【００１８】
このような構成により、図４に示すように、ＬＥＤ１１からの光が反射部１０の反射面１３に反射して導光体６の受光部８に入り導光体６の発光部７が発光する。ＬＥＤ１１と反射部１０の反射面１３とは、導光体６の長手方向に交差する方向において互いに対向していることにより、筐体３の奥行き方向に大きな間隔距離を設けることなく、導光体６の受光部８とＬＥＤ１１との距離を大きくすることができる。これにより、発光状態のＬＥＤ１１の縦方向の輪郭を曖昧にして均一な光を受光部８に照射することができ、発光部７の全長にわたって均一に発光させることができる。
【００１９】
また、本実施形態においては、反射部１０の切り起こし角度θを４５°より小さくして導光体６の受光部８に当たる光の反射幅を比較的広くしており、発光状態のＬＥＤ１１の横方向の輪郭を曖昧にして均一な光を受光部８に照射しているので、発光部７の全幅にわたって一層均一に発光させることができる。
【００２０】
そして更に、反射部１０及び光源支持部１２を補強板９の一部を切り起こして形成したことによって、その製造が極めて容易であり、部品点数も少なくして安価に製造することができる。また、光源としてのＬＥＤ１１が単一或いは少数（２、３個）であっても、導光体６の発光部７を均一に発光させることができる。なお、本実施形態においては、前面パネル４と補強板９との間の空間にＬＥＤ１１を設けることができるので、図２に示すように、夫々発光色の異なる３個のＬＥＤ１１を設けて、運転状況に応じて異なる色に発光部７を発光させることができる。
【００２１】
また、本実施形態においては、前記補強板９として金属表面に溶融亜鉛めっきを施して腐食防止を行うことが考えられるが、反射面１３にめっきの目方向が生じている場合には、図５に示すように、反射面１３の長手方向（図中矢示方向）にめっきの目を合わせて反射部１０を切り起こし形成する。これにより、反射部１０の反射面１３に当たるＬＥＤ１１の光を目方向に沿って拡散させることができ、反射部１０からの反射光が受光部８の全長にわたって均一に照射されるので、発光部７における明暗差を小さくすることができる。
【図面の簡単な説明】
【００２２】
【図１】本発明の一実施形態の発光装置を採用した空気清浄機能付き温風暖房機を示す斜視図。
【図２】図１の一部を破断して本実施形態の発光装置の構成を示す説明的斜視図。
【図３】導光体の説明的側面図。
【図４】本実施形態の発光装置の作用を示す説明的横断面図。
【図５】反射部を示す説明的斜視図。
【符号の説明】
【００２３】
１…発光装置、３…筐体、４…前面パネル、６…導光体、７…発光部、８…受光部、９…補強板、１０…反射部、１１…ＬＥＤ（光源）、１３…反射面。
【図１】
2006196239.tif 000003
【図２】
2006196239.tif 000004
【図３】
2006196239.tif 000005
【図４】
2006196239.tif 000006
【図５】
2006196239.tif 000007